(57)【要約】  少ない回転角でユーザが所望する風の吹出方向を得ること。本発明のルーバーは、除湿機（１０１）の吹出口（１５）の上方に回動可能に軸支することで、前記吹出口（１５）から吹き出す風を前後に振り分ける上下ルーバー（１４）ルーバーであって、前記上下ルーバー（１４）の前記吹出口（１５）に対向する面において、前記上下ルーバー（１４）の風を吹き出す方向の両端部よりも中央側が肉厚である。
2019180998.tif 000002
【特許請求の範囲】
【請求項１】
送風装置の吹出口の上方に回動可能に軸支されることで、前記吹出口から吹き出す風を前後に振り分けるルーバーであって、
前記ルーバーの前記吹出口に対向する面において、前記ルーバーの風を吹き出す方向の両端部よりも中央側が肉厚であることを特徴とするルーバー。
【請求項２】
前記吹出口に対向する面は、最も肉厚である最大肉厚部を有し、
前記両端部のうち少なくとも一方の端部から前記最大肉厚部に向かって傾斜した平面を有していることを特徴とする請求項１に記載のルーバー。
【請求項３】
前記吹出口に対向する面において形成される、前記両端部の一方の端部から前記最大肉厚部に向かう傾斜面と、前記両端部の他方の端部から前記最大肉厚部に向かう傾斜面とが交差する交差部が、前記両端部の何れかの端部側にずれていることを特徴とする請求項２記載のルーバー。
【請求項４】
請求項１〜３の何れか１項に記載のルーバーを備える空気調和機。
【請求項５】
前記ルーバーは、空気調和機本体から着脱自在に設けられていることを特徴とする請求項４に記載の空気調和機。
【請求項６】
請求項１〜３の何れか１項に記載のルーバーを備える除湿機。
【請求項７】
前記ルーバーは、除湿機本体から着脱自在に設けられていることを特徴とする請求項６に記載の除湿機。
【発明の詳細な説明】
【技術分野】
【０００１】
本発明は、風向を制御するルーバー、ルーバーを備えた空気調和機および除湿機に関する。
【背景技術】
【０００２】
従来、空気調和機の一種として室内の空気を除湿する除湿機がある。近年、除湿機には、室内の空気の除湿を行う除湿機能に加えて、洗濯後の衣類に乾燥した風を吹き付けて衣類乾燥を行う衣類乾燥機能を備えた除湿機が知られている。【０００３】
ところで、除湿機能と衣類乾燥機能とをそれぞれ効率良く機能させるには、乾燥した風を吹き出す方向を異ならせる必要がある。除湿機能では、室内全体に乾燥した風を吹き出す必要があるため、部屋の壁側に向かって乾燥した風を吹き出す必要があり、衣類乾燥機能では、乾燥対象となる衣類をつるした方向に乾燥した風を吹き出す必要がある。【０００４】
通常、室内の除湿を考えた場合、乾燥した風を壁側に向かって吹き付け、衣類の乾燥を考えた場合、乾燥した風を衣類の方向に向かって吹き付ける。すなわち、除湿機を室内の壁際に載置した場合、除湿機の前方が衣類乾燥機能実行時の風の吹出方向、当該除湿機の後方が除湿機能実行時の風の吹出方向になる。風の吹出方向の切替は、乾燥した風の吹出口に設けた一枚の板状のルーバーによって行われる（例えば特許文献１に開示された除湿機、特許文献２に開示された空気調和機）。
【先行技術文献】
【特許文献】
【０００５】
【特許文献１】日本国公開特許公報「特開２００２−２６７２０３号公報（２００２年９月１８日公開）」
【特許文献２】日本国公開特許公報「特開２００２−３３３１８５号公報（２００２年１１月２２日公開）」
【発明の概要】
【発明が解決しようとする課題】
【０００６】
ところで、従来の除湿機で使用されるルーバーは、肉厚がほぼ均一の板状の部材が使用されているので、風の吹出角（床面に対する傾斜角）は、ルーバーの回転角に等しくなる。例えば、ルーバーが床面に対して９０°回転すれば、風の吹出し角も床面に対して９０°となる。【０００７】
このように、一枚の平板形状のルーバーで風向きを制御する場合、風向と同じ範囲にルーバーを回転させる必要があるため、種々の問題が生じる。【０００８】
例えば、風向によっては回転時にルーバーが風路に入り込む為に、当該風路近傍の構造を当該ルーバーが接触しない構造にする必要がある。また、当該ルーバーと、風路から排出される風を左右方向に振り分けるための左右ルーバーと併用する場合には、大きなスペースを要する。【０００９】
従って、従来のルーバーでは、ユーザが所望する風の吹出方向にするために、所望する吹出方向と同じになるまで当該ルーバーを回転させる必要があるため、ルーバーを備える吹出口近傍の空間を広くしなければならない。【００１０】
本発明の一態様は、少ない回転角でユーザが所望する風の吹出方向が得られるルーバー、ルーバーを備えた空気調和機および除湿機を実現することを目的とする。
【課題を解決するための手段】
【００１１】
上記の課題を解決するために、本発明の一態様に係るルーバーは、送風装置の吹出口の上方に回動可能に軸支することで、前記吹出口から吹き出す風を前後に振り分けるルーバーであって、前記ルーバーの前記吹出口に対向する面において、前記ルーバーの風を吹き出す方向の両端部よりも中央側が肉厚であることを特徴としている。
【発明の効果】
【００１２】
本発明の一態様によれば、少ない回転角でユーザが所望する風の吹出方向を得ることができる。
【図面の簡単な説明】
【００１３】
【図１】本発明の実施形態１に係る除湿機の外観を示す外観斜視図である。
【図２】上記除湿機の内部構成を示す縦断面図である。
【図３】図１に示す除湿機の各運転モード時の外観斜視図を示し、（ａ）は除湿モード時、（ｂ）は衣類乾燥モード時のルーバーの回動状態を示す図である。
【図４】図３に示すルーバーの回動状態を示す拡大図であり、（ａ）は除湿モード時、（ｂ）は衣類乾燥モード時の拡大図である。
【図５】図１に示す除湿機の除湿モード時の気流を説明するための図である。
【図６】図１に示す除湿機の衣類乾燥モード時の気流を説明するための図である。
【図７】図１に示す除湿機における各運転モード時のルーバーの状態を示し、（ａ）は運転停止時、（ｂ）は衣類乾燥モード時、（ｃ）は除湿モード時のルーバーの状態を示す図である。
【図８】図１に示す除湿機に備えられたルーバーを示し、（ａ）は平面図、（ｂ）は（ａ）のＡＡ線矢視断面図である。
【図９】図１に示す除湿機における送風範囲を説明するための図である。
【図１０】本発明の実施形態２に係る除湿機に備えられたルーバーの種々の形状を示す図である。
【図１１】本発明の実施形態３に係る除湿機に備えられた操作パネルの一例を示す平面
【図１２】図１１に示す操作パネルを備えた除湿機に備えられたコントローラのブロック図である。
【発明を実施するための形態】
【００１４】
〔実施形態１〕
以下、本発明の一実施形態について、詳細に説明する。なお、本実施形態では、空気調和機として除湿機を例に説明する。
【００１５】
（除湿機の概要）
図１は、本実施の形態の除湿機１０１の外観を示す斜視図である。図２は、図１に示す除湿機１０１の内部構成を示す縦断面図である。以下の説明において、図１に示す除湿機１０１の左側を正面（フロント）、右側を背面（リヤ）とする。
【００１６】
除湿機１０１は、周囲の空気を吸い込むとともに、空気に含まれる水分を除去する除湿機能（除湿運転モード）、除湿した空気（風）を衣類に吹き付ける衣類乾燥機能（衣類乾燥モード）を備えた装置である。
【００１７】
除湿機１０１は、図１に示すように、外装部材である筐体１を備え、筐体１の内部に、図２に示すように、送風機（送風装置）２、除湿部５およびコントローラ３０（図１２）等を備えている。
【００１８】
図１に戻り、筐体１は、ケース１１、フロントカバー１２およびリヤカバー１３を備えている。ケース１１は、内部に空間を有する箱型の部材であり、例えば、板金、合成樹脂等を用いて形成されるものを挙げることができるが、これに限定されるものではない。ケース１１の正面および背面には図示しない開口が形成されており、正面の開口にフロントカバー１２が、背面の開口にリヤカバー１３がそれぞれ着脱可能に取り付けられている。
【００１９】
リヤカバー１３には吸込口１６が設けられ、また、ケース１１の上面には吹出口１５が設けられている。吸込口１６から吸い込まれた空気は除湿され、吹出口１５から吹き出される。吹出口１５には、吹き出される風の風向の上下方向を調整するための上下ルーバー１４が設けられている。さらに、吹出口１５内には、吹き出される風の風向の左右方向を調整するための左右ルーバー１９が設けられている。また、上下ルーバー１４は、吹出口１５の上方において回動自在に軸支され、当該吹出口１５から吹き出す風を前後方向に振り分けるようにもなっている。ここで、除湿機１０１のフロントカバー１２側を前方、リヤカバー１３側を後方とする。
【００２０】
また、ケース１１には、吹出口１５の近傍リヤ側に操作部１８が設けられている。
【００２１】
なお、除湿機１０１においては、リヤカバー１３の内側であって、ケース１１の背面の開口には、空気清浄フィルタ（図示せず）を配置してもよい。この場合、リヤカバー１３に設けられた吸込口１６を通過した空気は、空気清浄フィルタを介して除湿部５に吸い込まれる。空気清浄フィルタは、通過する空気から微細塵、埃等の異物を捕集するフィルタである。空気清浄フィルタとしては、不織布を紙状に形成したＨＥＰＡフィルタ（Ｈｉｇｈ Ｅｆｆｉｃｉｅｎｃｙ Ｐａｒｔｉｃｕｌａｔｅ ＡｉｒＦｉｌｔｅｒ）を挙げることができるがこれに限定されない。
【００２２】
送風機２は、ファン２１、ファンケース２２、ファンモータ２３、ダクト２４を備えている。ファン２１は、ここでは、遠心方向に空気を排出するファンであり、回転することで、中央部分から空気を吸い込むとともに、外周に向かう気流を発生させる。なお、ファン２１に換えてターボファンや高圧軸流ファンを使用してもよい。
【００２３】
ファン２１は、ファンケース２２の内部に回転可能に配置されている。ファンケース２２は、ダクト（送風路）２４と連結されており、ファン２１の周方向に発生した気流をダクト２４に向けて吹出すことができる構成を有している。
【００２４】
ファン２１は、ファンモータ２３の出力軸に取り付けられている。ファンモータ２３はファンケース２２に固定されており、ファンモータ２３が回転駆動することで、ファン２１が回転する。ダクト２４はファン２１の回転によって発生した気流を吹出口１５に導く。
【００２５】
ダクト２４には、気流にイオンを包含させるイオン発生器を配置してもよい。この場合、イオン発生器は、大気中で放電してイオンを発生するものである。イオン発生器としては、ｍ、ｎをそれぞれ任意の自然数とする正イオンＨ＋（Ｈ２Ｏ）ｍ、負イオンＯ２−（Ｈ２Ｏ）ｎを発生する構成が好ましい。この場合、空気中の浮遊細菌やウィルスの表面に正負イオンが付着して反応し、表面で活性種ＯＨラジカル（・ＯＨ）や過酸化水素（Ｈ２Ｏ２）を生成することで殺菌などの効果を発揮させることができる。
【００２６】
除湿部５は、蒸発器、凝縮器を含み、除湿した水を蓄える除湿タンク５１を備えている。除湿部５は、通過する気流を冷却して空気に含まれる水分を結露させることで、空気に含まれる水分を取り除く（除湿する）。除湿部５は、冷媒を循環させ、冷媒の相変化を利用して、空気を冷却する冷凍サイクル装置を備えている。冷凍サイクル装置は、蒸発器、凝縮器以外にも、図示をしていない圧縮機、膨張器等を備えている。
【００２７】
除湿部５に含まれる蒸発器および凝縮器は、熱交換器であり、例えば、フィン＆チューブを用いた熱交換器を挙げることができるがこれに限定されない。除湿部５は、リア側において送風機２に近接して配置される。送風機２の駆動によりファンケース２２に空気が吸い込まれてダクト２４から送出されるに伴って、除湿部５の蒸発器および凝縮器のフィンの隙間を流れる気流が発生する。
【００２８】
蒸発器は気流つまり空気を冷却し、凝縮器は気流を暖める。そのため、除湿部５では、気流の上流側に蒸発器を配置して気流を冷却して、蒸発器に空気中の水分を結露させる。そして、蒸発器で冷やされた気流を凝縮器で高温の冷媒との熱交換で暖め、蒸発器に流入したときと同じ温度か、又は高い温度に昇温する。以上のことから、除湿部５では、凝縮器よりも気流の上流に蒸発器が配置される。
【００２９】
除湿タンク５１は、除湿部５にいて除湿した水（ドレイン水）を蓄えるタンクである、溜まった溜ったドレイン水の量または水位を検出することができるようになっている。除湿機１０１では、除湿タンク５１に一定量のドレイン水が溜まると、警告を行うようになっているとともに、除湿機１０１の少なくとも除湿部５を停止する。使用者が、警告に応じて除湿タンク５１を取り外して、溜まったドレン水を排水することで、再度除湿機能が利用可能になる。なお、本実施形態では、冷凍サイクルを用いた除湿、所謂コンプレッサ方式にて除湿を行っているが、これに限定されず、空気中の水分を吸着する乾燥剤等を用いた除湿、所謂デシカント方式にて除湿を行ってもよく、また、コンプレッサ方式とデシカント方式とを組み合わせたハイブリッド方式にて除湿してもよく、さらに、他の除湿方式にて除湿を行ってもよい。
【００３０】
コントローラ３０は、筐体１内に備えられ、除湿機１０１の各部を制御するものである。詳細については後述するが、コントローラ３０は、操作部１８が受付けたユーザの操作内容に従う制御信号を生成し、生成された制御信号により、各部の動作を制御する。
【００３１】
図２に示す矢印は、除湿機１０１における空気の流れを示す図である。すなわち、上記構成の除湿機１０１は、送風機２が駆動することで、吸込口１６から空気が取り込まれ、除湿部５を通過する。除湿部５を通過した空気は、ファン２１により吸込まれ、ダクト２４を介して吹出口１５から吹出される。本除湿機１０１は、部屋全体の除湿を行うための除湿モード、部屋につるされた洗濯後の衣類を乾燥させるための衣類乾燥モードの２種類の運転モードを備えている。ここで、除湿機１０１に備えられた上下ルーバー１４は、上述したように、吹出口１５の上方に回動可能に軸支することで、前記吹出口１５から吹き出す風を前後に振り分けている。つまり、各運転モードに適した方向に乾燥した風を吹き出すように、上下ルーバー１４が回動する。以下に各運転モードについて説明する。
【００３２】
（除湿モード）
図３の（ａ）は除湿モード時、（ｂ）は衣類乾燥モード時の上下ルーバー１４の回動状態を示している。図４の（ａ）は除湿モード時、（ｂ）は衣類乾燥モード時の上下ルーバー１４の回転状態の拡大図を示している。図５は、除湿モード時の気流を示している。
【００３３】
図５の（ａ）に示すように、除湿機１０１を部屋の壁際に配置した場合、部屋全体を除湿する際の気流は、壁、天井、床に沿っていることが好ましい。すなわち、除湿機１０１から吹き出された風は、壁際（１）、天井（２）、壁際（３）、床面（４）に沿って流れる。この場合、除湿機１０１は、図５の（ｂ）に示すように、上下ルーバー１４を調整して除湿機１０１の吹出口１５のリヤカバー１３側を開放させて、後方、すなわち壁に向かって風を吹き出すようにすれば、コアンダ効果により、従って、壁際（１）、天井（２）、壁際（３）、床面（４）に沿って流れる。
【００３４】
従って、除湿機１０１のリヤカバー１３側を部屋の壁側にした場合、除湿モード時には、図３の（ａ）および図４の（ａ）に示すように、リヤカバー１３側に向かって風を吹き出すように上下ルーバー１４が回動する。すなわち、吹出口１５のリヤカバー１３側が開口するように、上下ルーバー１４をフロントカバー１２側に向かって回動させる。
【００３５】
このとき、風の吹出しの角度は、床面に対して２０°であることが好ましい。この状態を上下ルーバー１４を後ろ斜め２０°に傾けると称する。但し、この角度は、２０°に限定されるものではなく、コアンダ効果が得られるのであれば、部屋の形状や大きさによって変えてもよい。
【００３６】
さらに、図５の（ｃ）に示すように、吹出口１５内に設けられた左右ルーバー１９を調整して風を左右方向に吹き出すようにすれば、除湿機１０１から吹き出す風は、左右方向に拡がりを持つようになるため、除湿した空気が部屋全体に行き渡り易くなる。つまり、効率良く除湿が行える。
【００３７】
このように、上下ルーバー１４を利用し、後ろ斜め２０°気流を背面の壁に向けて風を吹出し、コアンダ効果により壁・天井を沿った除湿空気を発生させることで、人の生活空間を避けながら、部屋の隅々まで均一に省エネルギーで除湿を行うことが出来る。
【００３８】
しかも、除湿機１０１から吹き出す風にイオンを含ませることで、壁に沿ったイオンを含む除湿空気により、従来の除湿機では不十分であった壁や天井の付着カビ菌の抑制効果も得ることが出来ると同時に、窓に沿った除湿空気により、冬場の結露にも除湿機を移動させることなく対策することが出来る。
【００３９】
さらに、後ろ吹き出し時には上下ルーバー１４を余り倒さない状態にて後ろ斜め２０°気流が可能な為、製品前方の表示部などと被らないという利点があるため、製品設計上の自由度が増すという効果もする。
【００４０】
（衣類乾燥モード）
図６は、除湿モード時の気流を示している。
【００４１】
図６に示すように、除湿機１０１を部屋の壁際に配置した場合、部屋の中心でつるされた洗濯後の衣類１０２には、当該除湿機１０１から除湿された風を直接吹き付けることが好ましい。この場合、除湿機１０１は、図６に示すように、上下ルーバー１４を調整して除湿機１０１の吹出口１５のフロントカバー１２側を開放させて、前方、すなわち衣類１０２に向かって風を吹き出すようにする。
【００４２】
従って、除湿機１０１のリヤカバー１３側を部屋の壁側にした場合、依頼乾燥モード時には、図３の（ｂ）および図４の（ｂ）に示すように、フロントカバー１２側に向かって風を吹き出すように上下ルーバー１４が回動する。すなわち、吹出口１５のフロントカバー１２側が開口するように、上下ルーバー１４をリヤカバー１３側に向かって回動させる。
【００４３】
衣類１０２を効率良く乾燥させるには、当該衣類１０２に直接風が当たるように吹き付ける必要がある。このため、上下ルーバー１４は、衣類１０２に風を吹き付けるように上下が調整される。このとき、左右ルーバー１９は、吹き出す風が広がらないように調整される。
【００４４】
以上のように、除湿機１０１の部屋の設置場所を変えずに、上下ルーバー１４の回動状態を変えることで、除湿モードと衣類乾燥モードを切替えることができる。
【００４５】
（上下ルーバー１４の形状）
図７の（ａ）（ｂ）は、上下ルーバー１４の形状の一例を示している。すなわち、上下ルーバー１４は、図７の（ａ）（ｂ）に示すように、断面略三角形状の板状部材である。図７の（ｂ）の断面形状において、３面（面１４ａ，１４ｂ，１４ｃ）の長さは、１４ａ＞１４ｃ＞１４ｂとなっている。ここで、面１４ａと１４ｂがなす角度をθ１，面１４ａと１４ｃがなす角度をθ２としたとき、θ１＞θ２の関係にある。面１４ａを除湿機１０１の上面、面１４ｂをフロントカバー１２側、面１４ｃをリヤカバー１３側になるように、上下ルーバー１４を除湿機１０１に設置する。上下ルーバー１４は、風の吹出方向の前後両端側（端部１４ｅ・１４ｆ側）が肉薄で、中央側が肉厚であり、中央側に最も肉厚である最大肉厚部１４ｇを有する。さらに、上下ルーバー１４の吹出口１５に対向する面（面１４ｂ、１４ｃとする）が、フロントカバー１２側、リヤカバー１３側から上記最大肉厚部１４ｇ（三角形の頂点１４ｄから面１４ａに下ろした垂線の長さに相当の部分）に向かって傾斜された平面（傾斜面）となっている。
【００４６】
また、上下ルーバー１４は、θ１＞θ２の関係にあるため、面１４ｂと面１４ｃとが公差する交差部、すなわち三角形の頂点１４ｄの位置は、面１４ｂ側にずれている。本実施形態では、上記三角形の頂点１４ｄは、フロントカバー１２側にずれている。
【００４７】
なお、上下ルーバー１４の断面形状については、上述した三角形状に限定されるものではない。すなわち、上下ルーバー１４の吹出口１５に対向する面（面１４ｂ、１４ｃ）において、前記上下ルーバー１４の風を吹き出す方向の両端部（端部１４ｅ、１４ｆ）よりも中央側が肉厚であればよい。具体的には、前記吹出口１５に対向する面（面１４ｂ、１４ｃ）に、最も肉厚である最大肉厚部１４ｇが形成されている。従って、面１４ｂは、前記端部１４ｅから最大肉厚部１４ｇの頂点１４ｄに向かって傾斜した傾斜面、面１４ｃは、前記端部１４ｆから最大肉厚部１４ｇの頂点１４ｄに向かって傾斜した傾斜面となる。さらに、前記吹出口１５に対向する面（面１４ｂ、１４ｃ）が交差する交差部である頂点１４ｄは、端部１４e側にずれている。また、前記最大肉厚部１４ｇが、前記端部１４ｅ・１４ｆ間を直線で結んだ仮想線Ｘの中間地点Ｏよりも一方の端部である端部１４ｅ側に位置している。なお、頂点１４ｄがずれる方向および中間地点Ｏがずれる方向は、上下ルーバー１４の用途に応じて、端部１４ｆ側であってもよい。このような条件を満たす形状であれば、上下ルーバー１４は、どのような断面形状であってもよい。上下ルーバー１４の他の形状については、後述する実施形態２において説明する。
【００４８】
ここで、ルーバーの端部角度θが大きい場合、少ない回転でより上方側に風を送れるため、例えば送風装置付近上方に設置された衣類に対して全体に風を当てることができる。つまり、衣類乾燥に適している。また、ルーバーの傾斜面の距離が長いほど、吹出口からの風が傾斜面に沿う時間・距離が長いため、風の吹き出し方向がより安定する。つまり、一定の角度の風をキープできるため、循環気流を作りやすく、効率の良い空気清浄および除湿が可能である。従って、図７の（ｂ）に示す上下ルーバー１４は、端部１４ｅが衣類乾燥モード時に上方に回転し、端部１４ｆが除湿モード時に上方に回転するようになっている。以下に、上下ルーバー１４の動作について説明する。
【００４９】
（上下ルーバー１４の動作）
図８の（ａ）は運転停止時、（ｂ）は除湿モード時、（ｃ）は衣類乾燥モード時のルーバーの状態を示している。図９は、上下ルーバー１４の衣類乾燥モード時の送風範囲を説明するための図である。
【００５０】
除湿機１０１は、運転停止時では、図８の（ａ）に示すように、吹出口１５を塞ぐように上下ルーバー１４が回動し、除湿モード時では、図８の（ｂ）に示すように、吹出口１５が操作部１８側（リヤカバー１３側）に開口するように上下ルーバー１４が回動し、衣類乾燥モード時では、図８の（ｃ）に示すように、吹出口１５がフロントカバー１２側に開口するように上下ルーバー１４が回動する。
【００５１】
ここで、除湿モータ時では、図８の（ｂ）に示すように、上下ルーバー１４のリヤカバー１３側の面１４ｃが上向きに回動し、リヤカバー１３側、すなわち部屋の壁側に向かって乾燥した風を吹き出すようになっている。この場合の上下ルーバー１４の回動角度は後ろ斜め２０°が好ましい。後ろ斜め２０°は、床面に対する壁側に向かって上方に２０°傾斜した傾斜角をいう。この角度により、除湿した風が壁から天井に向井、さらに、天井から壁、床へと循環する気流になり、部屋全体を効率良く除湿することが可能となる。なお、この傾斜角については、２０°に限定されるものではない。例えば、除湿機１０１の設置場所、除湿機１０１を設置した部屋の構造などによって、傾斜角を変えてもよい。
【００５２】
一方、衣類乾燥モード時では、図８の（ｃ）に示すように、上下ルーバー１４のフロントカバー１２側の面１４ｂが上向きに回動し、フロントカバー１２側、すなわち部屋の壁側と反対側に向かって乾燥した風を吹き出すようになっている。衣類乾燥モードは、除湿モードと異なり、乾燥した風を所定の場所に効率よく吹き付ける必要がある。この場合、図９に示すように、運転停止時の上下ルーバー１４の面１４ｂの接線Ｘと、衣類乾燥モード時の上下ルーバー１４の面１４ｂの接線Ｙとの間が送風範囲となる。この衣類乾燥モード時の上下ルーバー１４の面１４ｂの接線Ｙは、ほぼ垂直になっている。
【００５３】
上下ルーバー１４は、図７の（ｂ）に示すように、フロントカバー１２側の角θ１がリヤカバー１３側の角θ２よりも大きいため、面１４ｂ側が上向きになるように回動する際には、面１４ｃ側が上向きになるように回動するときの回転角よりも小さい回転角で接線Ｙをほぼ垂直にできる。このため、上下ルーバー１４の面１４ｂを上向きに回動させた場合に、吹出口１５内に設けられた左右ルーバー１９に上下ルーバー１４の面１４ｃが干渉しないようにできる。従って、吹出口１５内の空間を狭くすることが可能となるため、除湿機１０１の吹出口１５近傍の上下方向のサイズを小さくすることができる。
【００５４】
このように、厚みを持たせた断面略三角形状（略Ｖ字状）の上下ルーバー１４によって、風向を衣類乾燥に優位な上方にずらすことが出来き、その際に上下ルーバー１４が吹出口１５からダクト２４に入り込む領域も少なくなるため、製品吹出口１５の省スペース化が図れる。
【００５５】
また、左右に風向を制御する左右ルーバー１９の形状も、製品後方側を凹ませることで、上下ルーバー１４との干渉を避けて、さらなる省スペース化が可能である。しかも、上下ルーバー１４の頂点が製品前方（フロントカバー１２）寄りであることで、後ろ吹き時は風路からずれた位置に頂点がくるため、圧損になりにくくより低騒音・高効率での除湿運転が可能となる。
【００５６】
（効果）
上記構成の除湿機１０１において、上下ルーバー１４は、吹出口に対向する面（面１４ｂ、面１４ｃ）が、風の吹出方向の前後両端側から当該上下ルーバー１４の回転中心側に向かって傾斜された傾斜面であることで、風が傾斜面に沿って流れて外に吹き出される。これにより、上下ルーバー１４から吹き出す風の吹出方向が、当該上下ルーバー１４の回転角が同じであれば、当該上下ルーバー１４の吹出口１５に対向する面（面１４ｂ、１４ｃ）が傾斜面でない平面の場合よりも上向きになる。
【００５７】
しかも、傾斜面の傾斜角を大きくすれば、それだけ、風の吹出方向を少ない回転角で変更することが可能となる。
【００５８】
また、上下ルーバー１４は、θ１＞θ２の関係にあるため、面１４ｂと面１４ｃとが公差する点、すなわち三角径の頂点の位置は、面１４ｂ側にずれている。本実施形態では、上記三角形の頂点は、フロントカバー１２側にずれている。これにより、上下ルーバー１４の回転角が同じであれば、傾斜角の大きい傾斜面（面１４ｂ）から吹き出す風の吹出方向を傾斜面（面１４ｃ）よりも上向きにすることが可能となる。
【００５９】
従って、上下ルーバー１４が反転することで後ろ方向（リヤカバー１３側）と、前方向（フロントカバー１２側）に気流を切り替えることが出来、かつ上下ルーバー１４の回転中心に厚みを持たせることで、除湿機１０１として一般的に求められる、上方への気流制御が可能である。
【００６０】
なお、上述したように、風の吹出し範囲を同じにする場合に、上下ルーバー１４の回転角をできるだけ小さくできればよいので、上下ルーバー１４の構成は、図７の（ｂ）に示すように、断面略三角形状に限定されるものではなく、断面形状において中央部において肉厚で、風の吹出し側が肉薄になっていればよい。以下の実施形態２では、上下ルーバーの他の形状について説明する。
【００６１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００６２】
（ルーバーの形状・着脱可能）
図１０は、本実施形態に係る種々のルーバーの概略構成を示し、（ａ）〜（ｃ）は断面図、（ｄ）（ｅ）は平面図である。
【００６３】
前記実施形態１の図７の（ｂ）に示す上下ルーバー１４では面１４ｂ、面１４ｃは平面であり、面１４ａと面１４ｂとのなす角度をθ１，面１４ａと面１４ｃとのなす角度をθ２としたときにθ１＞θ２の関係にあった。
【００６４】
これに対して、図１０の（ａ）に示す上下ルーバー２０１では、面２０１ｂ、面２０１ｃは傾斜面であり、面２０１ａと面２０１ｂとのなす角度をθ１，面２０１ａと面２０１ｃとのなす角度をθ２としたときにθ１＝θ２の関係にある。ここで、面２０１ａ、面２０１ｂ、面２０１ｃは、上下ルーバー１４の面１４ａ、面１４ｂ、面１４ｃに対応する。この上下ルーバー２０１を除湿機１０１に搭載すれば、フロントカバー１２側、リヤカバー１３側に同じ回転角で同じ向きに風を吹き出すことが可能となる。
【００６５】
他の形状の上下ルーバーとしては、図１０の（ｂ）に示すように、面２０２ｂは曲面、面２０２ｃは傾斜した平面である上下ルーバー２０２であってもよい。ここで、面２０２ａ、面２０２ｂ、面２０２ｃは、上下ルーバー１４の面１４ａ、面１４ｂ、面１４ｃに対応する。
【００６６】
さらに他の形状の上下ルーバーとしては、図１０の（ｃ）に示すように、面２０３ｂは傾斜した平面、面２０３ｃは傾斜した平面、面２０３ｂと面２０３ｃとを繋ぐ面２０３ｄを備えた断面略台形状のルーバー２０３であってもよい。ここで、面２０３ａ、面２０３ｂ、面２０３ｃは、上下ルーバー１４の面１４ａ、面１４ｂ、面１４ｃに対応する。
【００６７】
このように、上下ルーバーとしては、断面形状において中央部において肉厚で、風の吹出し側が肉薄になっていればどのような形状であってもよい。
【００６８】
また、前記実施形態１では、左右方向の風の吹出し方向の調整を左右ルーバー１９によって行っているが、図１０の（ｄ）（ｅ）に示すように、上下ルーバー２０４の裏面（吹出口１５に対向する面２０４ｃ・２０４ｂ）にフィン２０４ｄ・２０５ｅを設けてもよい。フィン２０４ｄは、リヤカバー１３側に広がりを持って風を吹き出すように、上下ルーバー２０４のリヤ側の面２０４ｃに広がりを持たせて形成され、フィン２０４ｅは、フロントカバー１２側に広がりを持たせずに風を吹き出すように、上下ルーバー２０４のフロント側の面２０４ｂに吹出し方向に平行に形成されている。
【００６９】
従って、図１０の（ｄ）（ｅ）に示す上下ルーバー２０４を使用すれば、左右ルーバー１９によって風の吹出しの左右方向の調整をする必要がないため、左右ルーバー１９を設ける必要がなくなり、吹出口１５の空間をさらに狭めることができる。これによっても、除湿機の上下方向のサイズを左右ルーバー１９を設けた分、小さくすることが可能となる。
【００７０】
以上の種々の構成の上下ルーバーは、除湿機１０１に着脱可能に設けられてもよい。これにより、ユーザは、使用する用途に応じて、上下ルーバーを付け替えることができる。
【００７１】
なお、前記実施形態１，２では、主に、上下ルーバーの形状および動作について説明したが、以下の実施形態３では、前記実施形態１，２の除湿機１０１の衣類乾燥モードを使用した場合のニオイ戻り制御について説明する。
【００７２】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００７３】
一般に、除湿機によって衣類を乾燥させた場合、室内の湿気を衣類が再吸湿し、雑菌が繁殖して、不快なニオイが発生する。この現状を、ニオイ戻りと称する。
【００７４】
本実施形態では、記実施形態１，２に記載の除湿機を用いて衣類乾燥を行った際にニオイ戻りを生じさせないニオイ戻り制御について説明する。
【００７５】
（操作部）
図１１は、図１に示す除湿機１０１に搭載された操作部１８のユーザが操作する操作面を示す図である。
【００７６】
操作部１８は、図１１に示すように、タイマー、左右スイング、上下スイング、便利機能、衣類入、除湿入、カビバリア入等の各種操作ボタンを備えている。ニオイ戻り制御は、衣類入のボタンを押下して、衣類乾燥モードにした後、便利機機能のボタンを操作し、臭い戻り対策を選択することで実行される。このように、操作部１８を操作することで、ユーザの操作内容に従う制御信号を生成し、生成された制御信号により、各部の動作を制御する。
【００７７】
（ニオイ戻り制御）
図１２は、操作部１８の操作を受付けるコントローラ３０の機能ブロック図である。
【００７８】
コントローラ３０は、ニオイ戻り制御部３１、ルーバー駆動部３２、除湿駆動部３３、ファン駆動部３４を含んでいる。
【００７９】
ニオイ戻り制御部３１は、さらに、操作部１８、湿度センサ４１、温度センサ４２が接続されている。すなわち、ニオイ戻り制御部３１は、操作部１８によって臭い戻りの制御を実行するための制御信号を受付けると、湿度センサ４１によって検出された湿度、温度センサ４２によって検出された温度から、ルーバー駆動部３２によって上下ルーバー１４の回転制御を行い、除湿駆動部３３によって除湿部５の除湿制御を行い、ファン駆動部３４によってファンモータ２３の回転制御を行う。これにより、ニオイ戻り制御部３１は、ニオイ戻り制御を実行している。
【００８０】
ニオイ戻り制御では、衣類乾燥モードによる衣類乾燥が終了した後、風を乾燥した衣類にあてる制御を行う。これにより、乾燥した衣類に対する再吸湿を防ぎ、乾燥衣類に付着した雑菌を死滅させることができる。
【００８１】
具体的には、以下の（１）〜（６）のようにニオイ戻り制御を実行している。
【００８２】
（１）衣類乾燥後に風のみを乾燥衣類にあて続ける。この場合、湿度センサ４１によって室内の湿度を検出し、検出した湿度が所定値より低くなった時点で衣類乾燥モードを終了し、衣類乾燥モードが終了した時点から所定時間、乾燥した衣類に風をあて続けるようにファン駆動部３４に指示を出してファンモータ２３を駆動し続ける。このとき、除湿駆動部３３は、除湿部５に対する除湿を停止させている。ここでは、衣類乾燥時間を１時間した後、送風を１時間続けるものとする。
【００８３】
ここで、衣類乾燥時の風量は、除湿機１０１にて設定可能な風量の最大に設定されているので、ニオイ戻り制御時の風量もそのまま最大を維持する。
【００８４】
（２）衣類乾燥後の風量を湿度に応じて可変にする。つまり、ニオイ戻り制御時の風量を、衣類乾燥時の風量をそのままにするのではなく、湿度センサ４１による検出結果に応じて可変にしてもよい。この場合、ニオイ戻り制御部３１は、湿度センサ４１による検出結果から湿度が所定値よりも高いと判断すれば、風量を上げるように、湿度が所定値よりも低いと判断すれば、風量を下げるように、ファン駆動部３４に指示を出してファンモータ２３の駆動を制御する。
【００８５】
（３）ニオイ戻り制御時に吹き出す乾燥空気の風向をワイド（広域）とナロー（狭域：１点集中）とを交互に切替える。この場合、除湿機１０１では、左右ルーバー１９を駆動させることで実行できる。このように、風向をワイドとナローに交互に切替えることで、衣類にあたる風に強弱を持たせて、当該衣類を波立たせることで、乾燥を促進させることが可能となる。
【００８６】
（４）ニオイ戻り制御時に風のみを乾燥衣類にあて続けているときに、湿度が上がれば、除湿運転を行う。この場合、ニオイ戻り制御部３１は、湿度センサ４１によって所定値より高い湿度が検出されたとき、除湿駆動部３３に指示を出して除湿部５による除湿運転を実行させる。
【００８７】
（５）ニオイ戻り制御時に温度を検出し、所定温度以下の低温部に送風を集中させる。この場合、ニオイ戻り制御部３１は、温度センサ４２によって乾燥した衣類周囲をエリア毎に温度を検出し、所定温度以下のエリアに対して送風を集中せるように、ファン駆動部３４、ルーバー駆動部３２に指示を出して、ファンモータ２３および上下ルーバー１４および左右ルーバー１９を駆動させる。
【００８８】
（６）ニオイ戻り制御時に上中下・左右のエリア別に送風し、湿度が所定値よりも高くなったエリアに対して送風を集中させる。この場合、ニオイ戻り制御部３１は、乾燥した衣類を含む空間を複数のエリアに分割し、分割したエリア毎に送風するように、ルーバー駆動部３２およびファン駆動部３４に指示をして、上下ルーバー１４および左右ルーバー１９、ファンモータ２３を駆動させる。
【００８９】
（効果）
上記構成のように、除湿機１０１において、ニオイ戻り制御部３１により、衣類乾燥後に、上述したニオイ戻り制御を実行することで、室内の湿気を衣類が再吸湿することを防ぎ、且つ、衣類に存在する雑菌を死滅させることで、乾燥後の衣類の不快なニオイを無くすことができる。
【００９０】
前記実施形態１〜３においては、本発明のルーバーを空気調和機の一種である除湿機に搭載した例について説明したが、これに限定されるものではなく、空気清浄機、除湿空気清浄機等の他の空気調和機に搭載してもよい。従って、本発明のルーバーは、空気調和機等のように風を吹き出す機能を搭載した装置、すなわち送風装置全般に適用可能である。
【００９１】
〔ソフトウェアによる実現例〕
除湿機１０１の制御ブロック（特にニオイ戻り制御部３１）は、集積回路（ＩＣチップ）等に形成された論理回路（ハードウェア）によって実現してもよいし、ソフトウェアによって実現してもよい。
【００９２】
後者の場合、除湿機１０１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９３】
〔まとめ〕
本発明の態様１に係るルーバーは、送風装置（除湿機１０１）の吹出口１５の上方に回動可能に軸支することで、前記吹出口１５から吹き出す風を前後に振り分けるルーバー(上下ルーバー１４)であって、前記ルーバーの前記吹出口１５に対向する面（面１４ａ、１４ｂ）において、前記ルーバー（上下ルーバー１４）の風を吹き出す方向の両端部よりも中央側が肉厚であることを特徴としている。
【００９４】
上記構成によれば、ルーバーの吹出口に対向する面の肉厚が、風の吹出方向の前後両端側よりも中央側が厚いことで、風がルーバーの肉厚が厚い部分から薄い部分に向かって流れる。これにより、ルーバーから吹き出す風の吹出方向が、ルーバーの吹出口に対向する面の肉厚が均一な場合よりも上向きになる。
【００９５】
これにより、少ない回転角でユーザが所望する風の吹出方向を得ることができる。
【００９６】
本発明の態様２に係るルーバーは、上記態様１において、前記吹出口１５に対向する面（面１４ｂ・面１４ｃ）は、最も肉厚である最大肉厚部を有し、前記両端部のうち少なくとも一方の端部から前記最大肉厚部に向かって傾斜した平面を有していてもよい。
【００９７】
上記の構成によれば、吹出口に対向する面が、上記風の吹出方向の前後両端側から上記最大肉厚部側に向かって傾斜された平面（傾斜面）であることで、風が傾斜面に沿って流れて外に吹き出される。これにより、ルーバーから吹き出す風の吹出方向が、ルーバーの吹出口に対向する面が傾斜面でない平面の場合よりも上向きになる。
【００９８】
しかも、傾斜面の傾斜角を大きくすれば、それだけ、風の吹出方向を少ない回動角で変更することが可能となる。
【００９９】
本発明の態様３に係るルーバーは、上記態様２において、前記吹出口１５に対向する面（面１４ｂ、１４ｃ）において形成される、前記両端部の一方の端部から前記最大肉厚部に向かう傾斜面と、前記両端部の他方の端部から前記最大肉厚部に向かう傾斜面とが交差する交差部が、前記両端部の何れかの端部側にずれていてもよい。
【０１００】
上記構成によれば、前記吹出口に対向する面において形成される、前記両端部の一方の端部から前記最大肉厚部に向かう傾斜面と、前記両端部の他方の端部から前記最大肉厚部に向かう傾斜面とが交差する交差部が、前記両端部の何れかの端部側にずれていることで、風の吹出方向の前後両端側から最大肉厚部に向かって傾斜された２つの傾斜面の傾斜角を異ならせることができる。
【０１０１】
これにより、同じ回動角であれば、傾斜角の大きい傾斜面から吹き出す風の吹出方向を上向きにすることが可能となる。
【０１０２】
本発明の態様４に係る空気調和機は、上記態様１〜３の何れか１態様のルーバー（上下ルーバー１４）を備えていることを特徴としている。
【０１０３】
上記構成によれば、少ない回転角でユーザが所望する風の吹出方向を得ることができる。
【０１０４】
本発明の態様５に係る空気調和機は、上記態様４の空気調和機において、上記ルーバー（上下ルーバー１４）は、空気調和機（除湿機１０１）本体から着脱自在に設けられていてもよい。
【０１０５】
上記構成によれば、ユーザが用途に合わせてルーバーを取り替えることができる。
【０１０６】
本発明の態様６に係る除湿機は、上記態様１〜３の何れか１態様のルーバー（上下ルーバー１４）を備えていることを特徴としている。
【０１０７】
上記構成によれば、少ない回転角でユーザが所望する風の吹出方向を得ることができる。
【０１０８】
本発明の態様７に係る除湿機は、上記態様６の除湿機において、上記ルーバー（上下ルーバー１４）は、空気調和機（除湿機１０１）本体から着脱自在に設けられていてもよい。
【０１０９】
上記構成によれば、ユーザが用途に合わせてルーバーを取り替えることができる。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１１】
１  筐体
２  送風機（送風装置）
５  除湿部
１１  ケース
１２  フロントカバー
１３  リヤカバー
１４  上下ルーバー（ルーバー）
１４ｅ  端部
１４ｆ  端部
１４ｇ  最大肉厚部
１５  吹出口
１６  吸込口
１８  操作部
１９  左右ルーバー
２１  ファン
２２  ファンケース
２３  ファンモータ
２４  ダクト（通風路）
３０  コントローラ
３１  ニオイ戻り制御部
３２  ルーバー駆動部
３３  除湿駆動部
３４  ファン駆動部
４１  湿度センサ
４２  温度センサ
５１  除湿タンク
１０１  除湿機（空気調和機）
１０２  衣類
２０１、２０２、２０３、２０４  上下ルーバー
２０４ｄ・２０５ｅ  フィン
【図１】
2019180998.tif 000003
【図２】
2019180998.tif 000004
【図３】
2019180998.tif 000005
【図４】
2019180998.tif 000006
【図５】
2019180998.tif 000007
【図６】
2019180998.tif 000008
【図７】
2019180998.tif 000009
【図８】
2019180998.tif 000010
【図９】
2019180998.tif 000011
【図１０】
2019180998.tif 000012
【図１１】
2019180998.tif 000013
【図１２】
2019180998.tif 000014
【国際調査報告】
2019180998.tif 000015
2019180998.tif 000016
2019180998.tif 000017
2019180998.tif 000018